(57)【要約】      （修正有）【課題】冶金炉に使用するタップ穴閉塞用プラグガンを提供する。【解決手段】冶金炉のタップ穴閉塞用クレイガン１に関し、閉塞物質を充填するための閉鎖可能な充填用開口部３を備えた圧力シリンダー２と、冶金炉のタップ穴に押し付けた圧力シリンダーの口金６から閉塞物質を押し出すためのピストンとを備え、圧力シリンダー２の充填用開口部３を閉鎖するようにピボット旋回する安全フラップ４にはストッパー８が設けられており、このストッパー８は、安全フラップ４を開くとシリンダー室９へとピボット旋回して、押し出しピストンが圧縮行程の前に閉塞物質を圧縮して排出するように偶発的に前進する速度を落とし、安全フラップ４を閉じると前記シリンダー室９の外に出るようにピボット旋回する。【選択図】図１
2011001628.tif 000002
【特許請求の範囲】
【請求項１】
冶金炉におけるタップ穴の閉塞物質を充填するための閉鎖可能な充填用開口部を備えた圧力シリンダーと、該圧力シリンダーの口金から閉塞物質を押し出すためのピストンとを備えた冶金炉のタップ穴閉塞用クレイガンであって、
前記圧力シリンダー（２）の充填用開口部（３）を閉鎖するようにピボット旋回する安全フラップ（４）には前記押し出しピストン（５）のストッパー（８）が設けられており、該ストッパー（８）は、安全フラップ（４）を開くとシリンダー室（９）へ進入するようにピボット旋回して、圧縮行程の前に押し出しピストン（５）が閉塞物質を圧縮して排出するように偶発的に前進する速度を落とし、安全フラップ（４）を閉じると前記シリンダー室（９）の外に出るように旋回することを特徴とするタップ穴閉塞用クレイガン。
【請求項２】
前記安全フラップ（４）は、前記圧力シリンダー（２）のシリンダージャケット（１０）に沿って湾曲する形状で、閉位置（４ａ）において圧力シリンダー（２）の充填用開口部（３）と係合するように設けられ、
前記安全フラップ（４）のシリンダー軸と平行な一側辺（１１）には分割ローラ片（１２）が配置され、該分割ローラ片（１２）は、安全フラップ（４）が閉位置（４ｂ）の状態ではシリンダー外側に位置し、前記安全フラップ（４）を開位置（４ｂ）にするとシリンダー室（９）の中へとピボット旋回してピストン（５）のストッパー（８）を構成するように設けられており、
前記分割ローラ片（１２）には圧力シリンダー（２）の中心軸（１４−１４）と平行に延びる前記安全フラップ（４）の旋回シャフト（１５）を挿入するための軸穴（１３）が設けられ、前記旋回シャフト（１５）は前記圧力シリンダー（２）のシリンダージャケット（１０）に具備される軸穴（１６）に固定されることを特徴とする請求項１記載のタップ穴閉塞用クレイガン。
【請求項３】
前記安全フラップの前記一側辺（１１）と対面する他側辺（１７）の周辺に設けられる、前記圧力シリンダー（２）の中心軸（１４−１４）と平行に延びるハンドル（１８）と、シリンダージャケット（１０）と連結するフック（１９）とを設けて、前記フック（１９）を前記ハンドル（１８）に係合させることにより、前記安全フラップ（４）が閉位置（４ａ）で固定されることを特徴とする請求項１又は２に記載のタップ穴閉塞用クレイガン。
【発明の詳細な説明】
【技術分野】
【０００１】
本発明は、冶金炉におけるタップ穴の閉塞物質を充填するための閉鎖可能な開口部を備える圧力シリンダーと、シリンダーの口金を冶金炉のタップ穴に押し付けて閉塞物質を押し出すためのピストンとを備えた冶金炉のタップ穴閉塞用クレイガンに関する。
【背景技術】
【０００２】
特許文献１（ＤＥ３００７０７２Ｃ２）に開示されるように、この種のタップ穴閉塞用クレイガンは、還元炉や溶融炉、即ち粗鉄を作るための溶鉱炉や非鉄金属や鉄合金などを溶融するための低炉のタップ穴を閉塞するために用いられる。閉塞作業工程に当たっては、揺動装置によって強い力でクレイガンを炉に押し付けて、クレイガンからタップ穴へと閉塞物質を押し出し、閉塞物質が固まるまで押し付けた状態を維持する。
【０００３】
しかし、このようなクレイガンでは、閉塞物質を圧力シリンダーのシリンダー室に手動で充填している最中に、製錬工やその共働者等によりピストンがシリンダーの口金の方向へ誤って動かされることがある。こうして、意図せずピストンがシリンダ口金の方に前進して、圧縮行程の前に閉塞物質が圧縮されて外に排出されてしまい、製錬工が手や腕に大きな傷害を受ける危険性がある。
【先行技術文献】
【特許文献】
【０００４】
【特許文献１】ＤＥ３００７０７２Ｃ２
【発明の概要】
【発明が解決しようとする課題】
【０００５】
本発明の目的は、タップ穴閉塞用クレイガンの操作における安全性を向上させることである。
【課題を解決するための手段】
【０００６】
この目的は本発明の請求項１の特徴を備えたタップ穴閉塞用クレイガンにより達成される。
従属請求項には、本発明の好ましい改良点となる特徴が含まれる。
【０００７】
本発明のタップ穴閉塞用クレイガンは、圧力シリンダーの閉塞物質を充填する開口部を開閉するための安全フラップに、ストッパーが一体的に設けられている。安全フラップを開くとストッパーが自動的にピボット旋回してシリンダー室内へと進入するので、圧縮行程の前にピストンが閉塞物質を圧縮して口金から排出するように偶発的に前進する速度を落とすことができる。このように安全フラップとストッパーを一体化させることは、タップ穴閉塞クレイガンにおける操作上の安全性を向上させる簡単且つ経済的な方法である。
【図面の簡単な説明】
【０００８】
【図１】タップ穴閉塞用クレイガンの斜視図である。
【図２】タップ穴閉塞用クレイガンの側面図である。
【図３】閉塞物質充填用開口部を開閉する安全フラップが閉位置にある時のタップ穴閉塞クレイガンを、図２におけるＩＩＩ−ＩＩＩ線で切断した断面拡大図である。
【図４】安全フラップが開位置にある時の図３に対応する断面拡大図である。
【発明を実施するための形態】
【０００９】
以下に、本発明を図に基づいて説明する。
【００１０】
タップ穴閉塞用クレイガン１には、安全フラップ４を有する圧力シリンダー２が具えられる。安全フラップ４は、図３の閉位置４ａから開位置４ｂの矢印ａで示す方向と図４の矢印ｂで示す反対方向へとピボット旋回することで、圧力シリンダー２に閉塞物質を充填するための開口部３を開閉するよう構成されている。
タップ穴閉塞用クレイガン１には更に、シリンダー口金６を炉のタップ穴に押し付けて閉塞物質を押し出すためのピストン５と、電気油圧駆動部（不図示）が備えられる。また、シリンダー口金６には炉のタップ穴から放出される熱及び溶融物から守るための遮蔽部材７が設けられる。
【００１１】
閉塞物質の充填用開口３をピボット旋回して開閉する安全フラップ４には、ストッパー８が設けられている。安全フラップ４を矢印ａの方向にピボット旋回させて開位置４ｂにすると、ストッパー８も旋回してシリンダー室９の中へ進入する。こうして、圧縮行程の前にピストン５が閉塞物質を圧縮して排出するように、矢印ｃで示す方向に偶発的な前進ストロークを行う速度を落とすことができる。安全フラップ４を矢印ｂの方向にピボット旋回させて閉位置４ａにすると、ストッパー８も旋回してシリンダー室９の外へと移動する。
【００１２】
安全フラップ４は圧力シリンダー２のシリンダージャケット１０に沿った湾曲形状で、閉位置４ａでは圧力シリンダー２の充填用開口３と係合している。
【００１３】
分割ローラ片１２は、安全フラップ４のシリンダー軸と平行な一側辺１１に取り付けられており、安全フラップ４が閉位置４ａの時はシリンダーの外側に位置する。そして、安全フラップを開位置４ｂにすると、圧力シリンダー２のシリンダー室９の中に進入するようにピボット旋回して、ピストン５のストッパー８となる。
【００１４】
分割ローラ片１２には、圧力シリンダー２の中心軸１４−１４と平行方向に軸穴１３が設けられており、例えば安全フラップ４の旋回シャフト１５が挿通される。旋回シャフト１５は、シリンダージャケット１０に設けられる軸穴１６で固定される。
【００１５】
圧力シリンダー２の中心軸１４−１４と平行に延びるロッド状ハンドル１８が、安全フラップ４の固定側辺とは反対側の他側辺１７の周辺に設置される。このハンドル１８と、圧力シリンダー２のシリンダージャケット１０に連結されるフック１９によって、安全フラップ４を閉位置４ｂで固定することができる。
【符号の説明】
【００１６】
１  タップ穴閉塞用クレイガン
２  圧力シリンダー
３  充填用開口部
４  安全フラップ
４ａ  安全フラップの閉位置
４ｂ  安全フラップの開位置
５  押し出しピストン
６  口金
７  遮蔽部材
８  ストッパー
９  シリンダー室
１０  シリンダージャケット
１１  安全フラップの一側辺
１２  分割ローラ片
１３  軸穴
１４−１４  シリンダーの中心軸
１５  安全フラップの旋回シャフト
１６  ジャケットの軸穴
１７  安全フラップの他側辺
１８  安全フラップのハンドル
１９  フック
ａ  安全フラップの旋回方向
ｂ  安全フラップの旋回方向
ｃ  ピストンの押し出し方向
【図１】
2011001628.tif 000003
【図２】
2011001628.tif 000004
【図３】
2011001628.tif 000005
【図４】
2011001628.tif 000006